(57)【要約】【課題】台紙とブリスターを一体化する際にシール装置を必要とせず、輸送中や店頭での取扱い時にブリスターと台紙が簡単に外れることがなく、しかもブリスターのサイズを小さくして台紙の露出割合を大きくすることができるようにする。【解決手段】ブリスター１０は膨出部１１の上辺から突き出る折曲げ可能な上差し込み片１２と、膨出部１１の下辺から突き出る折曲げ可能な下折り返し片とを有する。台紙２０はブリスター１０の上差し込み片１２を表側から挿入するための上スリット２１と、上スリット２１に挿入した上差し込み片１２の先端を表側に露出させるための下スリット２２とを有する。ブリスター１０の上差し込み片１２は、台紙２０の上スリット２１に表側から通されてその先端が下スリット２２から表側に露出して折り返されており、ブリスター１０の下折り返し片は、台紙２０の下辺で裏側に折り返されて係止手段により固定されている。【選択図】図１
2018052544.tif 000002
【特許請求の範囲】
【請求項１】
被支持物を入れるための膨出部を有するブリスターと、ブリスターの膨出部を塞ぐ台紙とからなる包装用容器であって、
ブリスターは膨出部の上辺から突き出る折曲げ可能な上差し込み片と、膨出部の下辺から突き出る折曲げ可能な下折り返し片とを有しており、
台紙は表面シートと裏面シートからなる２重構造で、表面シートはブリスターの上差し込み片を表側から挿入するための上スリットと、上スリットに挿入した上差し込み片の先端を表側に露出させるための下スリットとを有しており、
ブリスターの上差し込み片は、上下の中ほどに位置する折り曲げ部を境にして根元側と先端側とに分かれ、根元側は台紙の表面シートの上スリットと下スリットの間の裏側に位置し、先端側は台紙の表面シートの上スリットと下スリットの間の表側に位置しており、ブリスターの下折り返し片は、台紙の下辺で裏側に折り返されて係止手段により固定されていることを特徴とする包装用容器。
【請求項２】
ブリスターの下折り返し片の両サイドに耳部が突設され、台紙の裏面シートに開口が形成されており、下折り返し片が両方の耳部を台紙の裏面シートの開口に差し込まれた状態で固定されていることを特徴とする請求項１に記載の包装用容器。
【請求項３】
被支持物を入れるための膨出部を有するブリスターと、ブリスターの膨出部を塞ぐ台紙とからなる包装用容器であって、
ブリスターは膨出部の上辺から突き出る折曲げ可能な上差し込み片と、膨出部の下辺から突き出る折曲げ可能な下折り返し片とを有しており、
台紙は１枚のシートからなるもので、ブリスターの上差し込み片を表側から挿入するための上スリットと、上スリットに挿入した上差し込み片の先端を表側に露出させるための下スリットとを有しており、
ブリスターの上差し込み片は、上下の中ほどに位置する折り曲げ部を境にして根元側と先端側とに分かれ、根元側は台紙の上スリットと下スリットの間の裏側に位置し、先端側は台紙の上スリットと下スリットの間の表側に位置しており、ブリスターの下折り返し片は、台紙の下辺で裏側に折り返されて係止手段により固定されていることを特徴とする包装用容器。
【請求項４】
ブリスターの下折り返し片の両サイドに耳部が突設され、台紙に開口が形成されており、下折り返し片が両方の耳部を台紙の開口に差し込まれた状態で固定されている請求項３に記載の包装用容器。
【発明の詳細な説明】
【技術分野】
【０００１】
本発明は、化粧品、日用品などの容器入り商品を店頭にて陳列販売する際に、良好なディスプレイ性を発揮させるため、これらをブリスターと呼ばれる透明なプラスチック成形品に入れた状態で台紙の前面に保持させた包装用容器に関するものである。
【背景技術】
【０００２】
従来より、この種の包装用容器として、化粧品、日用品等の容器入り商品を被支持物としてブリスターの膨出部に入れ、それを台紙の前面に一体化して保持形態とし、必要に応じて吊下げ可能としたものが利用されている。そして、台紙とブリスターを一体化するに際しては、多くの場合、ブリスターの周囲に設けたフランジを台紙に接着剤で貼り合わせるか、あるいはヒートシールするようにしている（例えば、特許文献１，２参照）。また、ブリスターの両サイドに折返し部を設けておき、この折返し部をガイドとしてブリスターを台紙の外側にスライドさせて差し込み、シールで止めたり数カ所をステープルで止めるようにしたものも広く利用されている（例えば、特許文献３，４参照）。
【先行技術文献】
【特許文献】
【０００３】
【特許文献１】特開２００６−１２３９５５号公報
【特許文献２】特開２００８−２７３５５３号公報
【特許文献３】実用新案登録第３０２５３３１号公報
【特許文献４】特開平１１−１７１２４３号公報
【発明の概要】
【発明が解決しようとする課題】
【０００４】
上記した包装用容器のうち特許文献１，２に記載のものは、商品を取り出す際にブリスターを台紙から剥がす操作が困難であり、しかも綺麗に剥がれない。特許文献１に記載のものでは、台紙に所定パターンでミシン目を設けているが、それでもブリスターを台紙から剥がす操作は簡単ではない。特許文献２に記載のものでは、熱可塑性プラスチックフィルムからなるフランジ固定材を使用してヒートシールするように工夫しているが、ヒートシールにはシール装置（ヒーター）を必要とするためにコストが上昇する。
【０００５】
特許文献３，４に記載のものは、台紙とブリスターを一体化する際にシール装置を使用する必要はなく、この点でのコストはかからない。しかしながら、特許文献３に記載のものでは、ブリスターと台紙の間にロック機能を設けておき、ブリスターあるいは台紙をスライドさせるだけでロックして一体にできるようにしているが、ロック部分の一方が紙であるため、輸送中や店頭での取扱い時に外れやすいという問題がある。また、特許文献４に記載のものは、台紙に対向する平行な切込みを設け、これらの切込みにブリスターの膨出部の両サイドにある平坦部を差し込んで一体化するようにしており、ブリスターのサイズを小さくして台紙を大きく設計できるという利点はあるものの、ロック部分は曲げが掛かると外れやすいという問題は残る。
【０００６】
本発明は、上記のような問題点に鑑みてなされたものであり、その目的とするところは、台紙とブリスターを一体化する際にシール装置を必要とせず、輸送中や店頭での取扱い時にブリスターと台紙が簡単に外れることがなく、しかもブリスターのサイズを小さくして台紙の露出割合を大きくすることができる包装用容器を提供することにある。
【課題を解決するための手段】
【０００７】
上記の目的を達成するため、本発明は、被支持物を入れるための膨出部を有するブリスターと、ブリスターの膨出部を塞ぐ台紙とからなる包装用容器であって、
ブリスターは膨出部の上辺から突き出る折曲げ可能な上差し込み片と、膨出部の下辺から突き出る折曲げ可能な下折り返し片とを有しており、
台紙は表面シートと裏面シートからなる２重構造で、表面シートはブリスターの上差し込み片を表側から挿入するための上スリットと、上スリットに挿入した上差し込み片の先端を表側に露出させるための下スリットとを有しており、
ブリスターの上差し込み片は、上下の中ほどに位置する折り曲げ部を境にして根元側と先端側とに分かれ、根元側は台紙の表面シートの上スリットと下スリットの間の裏側に位置し、先端側は台紙の表面シートの上スリットと下スリットの間の表側に位置しており、ブリスターの下折り返し片は、台紙の下辺で裏側に折り返されて係止手段により固定されていることを特徴とする。
【０００８】
上記の係止手段として、ブリスターの下折り返し片の両サイドに耳部が突設され、台紙の裏面シートに開口が形成されており、下折り返し片が両方の耳部を台紙の裏面シートの開口に差し込まれた状態で固定されている形態を採ることができる。
【０００９】
また、同様の目的を達成するため、本発明は、被支持物を入れるための膨出部を有するブリスターと、ブリスターの膨出部を塞ぐ台紙とからなる包装用容器であって、
ブリスターは膨出部の上辺から突き出る折曲げ可能な上差し込み片と、膨出部の下辺から突き出る折曲げ可能な下折り返し片とを有しており、
台紙は１枚のシートからなるもので、ブリスターの上差し込み片を表側から挿入するための上スリットと、上スリットに挿入した上差し込み片の先端を表側に露出させるための下スリットとを有しており、
ブリスターの上差し込み片は、上下の中ほどに位置する折り曲げ部を境にして根元側と先端側とに分かれ、根元側は台紙の上スリットと下スリットの間の裏側に位置し、先端側は台紙の上スリットと下スリットの間の表側に位置しており、ブリスターの下折り返し片は、台紙の下辺で裏側に折り返されて係止手段により固定されていることを特徴とする。
【００１０】
上記の係止手段として、ブリスターの下折り返し片の両サイドに耳部が突設され、台紙に開口が形成されており、下折り返し片が両方の耳部を台紙の開口に差し込まれた状態で固定されている形態を採ることができる。
【発明の効果】
【００１１】
本発明の包装用容器は、ブリスターの上差し込み片が、上下の中ほどに位置する折り曲げ部を境にして根元側と先端側とに分かれ、根元側は台紙の上スリットと下スリットの間の裏側に位置し、先端側は台紙の上スリットと下スリットの間の表側に位置しており、ブリスターの下折り返し片は、台紙の下辺で裏側に折り返されて係止手段により固定された状態でブリスターが台紙に取り付けられているので、ブリスターはその上下で台紙にしっかりと固定された状態になっており、輸送中や店頭での取扱い時にブリスターと台紙が簡単に外れることがない。また、台紙にブリスターを取り付ける際にシール装置を使用しないため、設備の必要がなくコストダウンを図ることができる。また、台紙に取り付けたブリスターは膨出部のサイズとなるため、台紙の露出割合を大きくして広告や説明などの印刷面を多くとることができる。
【００１２】
そして、下折り返し片の係止手段として、ブリスターの下折り返し片の両サイドに耳部が突設され、台紙に開口が形成されており、下折り返し片が両方の耳部を台紙の開口に差し込まれた状態で固定されている形態を採ることにより、下折り返し片を折り返した作業に続けてその耳部を台紙の開口に差し込むという簡単な作業をするだけで下折り返し片を台紙の裏側にしっかりと固定することができる。
【図面の簡単な説明】
【００１３】
【図１】本発明の第１実施形態としての包装用容器を示す正面図である。
【図２】本発明の第１実施形態としての包装用容器を示す背面図である。
【図３】図１の包装用容器を構成するブリスターの正面図と、異なる向きから見た２つの側面図である。
【図４】図１の包装用容器を構成する台紙の正面図である。
【図５】本発明の第２実施形態としての包装用容器を示す正面図である。
【図６】本発明の第２実施形態としての包装用容器を示す背面図である。
【図７】図５の包装用容器を構成する台紙の正面図である。
【発明を実施するための形態】
【００１４】
〔第１実施形態〕
図１に正面図を、図２に背面図を示す包装用容器Ａは、図３（ａ）に正面図を、図３（ｂ），図３（ｃ）に異なる向きから見た側面図を示すブリスター１０と、図４に示す台紙２０とで構成される。
【００１５】
ブリスター１０は、透明なプラスチック成形品で、例えば、ＰＥＴ（ポリエチレンテレフタレート）、ＰＥ（ポリエチレン）、ＰＰ（ポリプロピレン）等の樹脂シートを真空成形して作成されるものであり、被支持物Ｍを入れるための膨出部１１を備え、膨出部１１の上辺から突き出る折曲げ可能な上差し込み片１２と、膨出部１１の下辺から突き出る折曲げ可能な下折り返し片１３とを有している。ブリスター１０の膨出部１１は、被支持物Ｍに応じた形状とするものであるが、ここでは円筒状プラスチックケースの形状に合わせてあり、ケースの内容物は例えば化粧品や日用品などである。
【００１６】
ブリスター１０の上差し込み片１２は、先端が丸みを帯びた三角形状で、上下方向の中心より少し上方を横断するように切り込んだスリット１２ａが設けられており、先端付近には膨出部１１と同じ向きに突き出た突起１２ｂが形成されている。ブリスター１０の下折り返し片１３は、三角形の先端両サイドに耳部１３ａ，１３ｂが突設した形状で、一方の耳部１３ａが他方の耳部１３ｂより大きく形成されている。
【００１７】
台紙２０は、折り曲げ線αにより左右に分割された表面シート２０ａと裏面シート２０ｂからなり、折り曲げ線αのところで二つ折りし、折り曲げ線αと反対側の先端付近に糊付けして貼り合わせた２重構造の状態で使用される。
【００１８】
台紙２０の表面シート２０ａは、左辺寄りの中ほどから少し上方に、ブリスター１０の上差し込み片１２を表側から挿入するための上スリット２１と、上スリット２１に挿入した上差し込み片１２の先端を表側に露出させるための下スリット２２とを有している。一方、台紙２０の裏面シート２０ｂは、右辺寄りの下部に、台紙２０の下辺で裏側に折り返したブリスター１０の下折り返し片１３を係止して固定するための開口２５を有している。また、表面シート２０ａの左辺寄りの上部と裏面シート２０ｂの右辺寄りの上部には二つ折り状態としたときに重なり合う吊下げ孔ｈが設けられており、この吊下げ孔ｈは、包装用容器Ａを吊り下げて陳列する際にハンガー等が通る貫通孔である。
【００１９】
表面シート２０ａの上スリット２１と下スリット２２の間隔は、ブリスター１０の上差し込み片１２における根元部分からスリット１２ａまでの距離より僅かに狭く形成されている。そして、上スリット２１は、ブリスター１０の上差し込み片１２の根元部分の幅より僅かに長く形成されており、その中央は下向きに湾曲した円弧部分２１ａになっている。また、下スリット２２は、ブリスター１０の上差し込み片１２におけるスリット１２ａ位置の横幅より僅かに長く形成され、その中央部分には縦長の長円形状をした小孔２２ａが形成されている。さらに、上スリット２１と下スリット２２で挟まれる領域を撓みやすくするため、上スリット２１と下スリット２２の両端をそれぞれ結ぶ線上に補助スリット２３が形成され、上スリット２１の円弧部分２１ａの下端と下スリット２２の小孔２２ａの上端を結ぶ補助罫線２４が形成されている。
【００２０】
裏面シート２０ｂの開口２５は、矩形の上下の辺が外側に膨らんだ形状をしており、ブリスター１０における下折り返し片１３の耳部１３ａ，１３ｂを左右の辺に差し込んで係止できるサイズになっている。そして、開口２５の一方の上部コーナーから裏面シート２０ｂの下辺に向かって円弧状に延びる破断線２６が形成され、その破断線２６に繋がるようにして裏面シート２０ｂの下辺には摘み部分となる突起２７が設けられており、開口２５の他方の下部コーナーから裏面シート２０ｂの下辺に向かって斜めに延びるミシン目２８が形成されている。
【００２１】
この包装用容器Ａでは、台紙２０の裏面シート２０ｂは折り曲げ線α以外の周囲３辺で表面シート２０ａより僅かに小さなサイズになっている。そして、ブリスター１０の取り付け位置に対応させて台紙２０の下辺に切欠２９を設けてある。すなわち、表面シート２０ａの下辺に切欠２９ａを設けるとともに、これと重なる裏面シート２０ｂの下辺にも切欠２９ｂを設けてあり、表面シート２０ａと裏面シート２０ｂを折り曲げ線αで二つ折りしたときに、これらの切欠２９ａ，２９ｂが重なることで台紙２０の下辺にブリスター１０の下折り返し片１３の根元部分より僅かに広くなった切欠２９を形成するようになっている。
【００２２】
裏面シート２０ｂの切欠２９ｂは、ブリスター１０の下差し込み辺１３の根元部分より僅かに広く形成されており、その切欠２９ｂの一端は摘み部分となる突起２７の一辺を構成している。一方、表面シート２０ａの切欠２９ａは、裏面シート２０ｂの切欠２９ｂと突起２７を合わせた長さになっており、表面シート２０ａと裏面シート２０ｂを折り曲げ線αで二つ折りしたときに、図１に示すように、裏面シート２０ｂの突起２７がブリスター１０の外側で表側に露出するようになっている。
【００２３】
図１、図２に示す包装用容器Ａを組み立てる手順は次のようである。
【００２４】
まず、台紙２０の表面シート２０ａにおける上スリット２１の口を開かせ、ブリスター１０の上差し込み片１２を上スリット２１に挿入する。このとき、上スリット２１には中ほどに円弧部分２１ａがあるので開きやすい。また、台紙２０の下端より指を入れると上スリット２１はさらに開きやすくなる。
【００２５】
次に、下スリット２２からブリスター１０の上差し込み片１２を表側に出し、上差し込み片１２を根元まで差し込んでからスリット１２ａを折り曲げ部として折り返す。このとき、上差し込み片１２には先端付近に突起１２ｂがあり、これが裏面シート２０ｂに当接するので先端部分が浮き上がりやすくなっており、しかも、上スリット２１と下スリット２２の両端をそれぞれ結ぶ補助スリット２３があり、上スリット２１の円弧部分２１ａと下スリット２２の小孔２２ａを結ぶ補助罫線２４があるので、上スリット２１と下スリット２２で挟まれる領域は撓みやすく、上差し込み片１２の先端部分は下スリット２２の中ほどにある小孔２２ａを通って表側に出やすくやっているので、上差し込み片１２は差し込むだけの操作で下スリット２２から容易に出すことができる。なお、上下の中ほどに折り曲げ部としてスリット１２ａを設けたが、スリット１２ａの代わりにミシン目を設けてもよいし、材質によっては手で折り曲げるだけで折り曲げ部を構成しても構わない。
【００２６】
このようにブリスター１０の上差し込み片１２を台紙２０に取り付けてから、被支持物Ｍをブリスター１０の膨出部１１にセットし、ブリスター１０を台紙２０の表面シート２０ａに密着させる。次いで、台紙２０を裏返してブリスター１０の下折り返し片１３を裏側に向けて折り、耳部１３ａ，１３ｂを裏面シート２０ｂの開口２５に差し込む。このとき、台紙２０の下辺には下折り返し片１３の根元部分より僅かに広い切欠２９があるので、下折り返し片１３は台紙１０の下辺で位置決めされて容易に折り曲げることができる。下折り返し片１３の耳部１３ａ，１３ｂを開口２５に差し込むときは、下折り返し片１３を捻るようにして大きい方の耳部１３ａを先に入れてから、下折り返し片１３の先端中央を盛り上げ斜めに曲げるようにして小さい方の耳部１３ｂを入れるようにするとよい。最後に、図１に示すように、開口２５の一方のコーナー付近でブリスター１０の下折り返し片１３と台紙２０とに跨がるように改ざん防止用のシールＳを貼る。
【００２７】
組み立てられた包装用容器Ａは、ブリスター１０の上差し込み片１２が、上下の中ほどに位置するスリット１２ａを境にして根元側と先端側とに分かれ、根元側は台紙２０の表面シート２０ａの上スリット２１と下スリット２２の間の裏側に位置し、先端側は台紙２０の表面シート２０ａの上スリット２１と下スリット２２の間の表側に位置しているとともに、ブリスター１０の下折り返し片１３は、台紙２０の下辺に沿った切欠２９のところで折り返され、下折り返し片１３の耳部１３ａ，１３ｂが裏面シート２２ｂの開口２５に差し込まれて固定した状態でブリスター１０が台紙２０に取り付けてられているので、ブリスター１０がその上下で台紙２０にしっかりと固定されており、輸送中や店頭での取扱い時にブリスター１０と台紙２０が簡単に外れることがない。また、ブリスター１０の下部は台紙２０の切欠２９に嵌まって突き出ていないので、図３のような膨出部１１の下側が平らなブリスター１０を使用することで必要に応じて包装用容器Ａを自立させることができる。
【００２８】
被支持物Ｍを取り出すときは、台紙２０の下辺にある突起２７を摘んで引き上げ、破断線２６に沿って開口２５の下部を持ち上げる。破断線２６が開口２５まで破れたら、そのまま引っ張ってミシン目２８に沿ってシールＳとともに開口２５の下側を取り除く。その後、ブリスター１０の下折り返し片１３の係合を外して膨出部１１から被支持物Ｍを取り出せばよい。
【００２９】
〔第２実施形態〕
図５に正面図を、図６に背面図を示す包装用容器Ｂは、図３に示すブリスター１０と、図７に示す台紙３０とで構成される。なお、ブリスター１０については先に説明してあるので、ここでの説明は省略する。
【００３０】
台紙３０は、左辺寄りの中ほどから少し上方に、ブリスター１０の上差し込み片１２を表側から挿入するための上スリット３１と、上スリット３１に挿入した上差し込み片１２の先端を表側に露出させるための下スリット３２とを有しており、左辺寄りの下部には、台紙３０の下辺で裏側に折り返したブリスター１０の下折り返し片１３を係止して固定するための開口３５を有している。また、台紙３０の左辺寄りの上部には吊下げ孔ｈが設けられており、この吊下げ孔ｈは、包装用容器Ｂを吊り下げて陳列する際にハンガー等が通る貫通孔である。
【００３１】
台紙３０の上スリット３１と下スリット３２の間隔は、ブリスター１０の上差し込み片１２における根元部分からからスリット１２ａまでの距離より僅かに狭く形成されている。そして、上スリット３１は、ブリスター１０の上差し込み片１２の根元部分の幅より僅かに長く形成されており、その中央は下向きに湾曲した円弧部分３１ａになっている。また、下スリット３２は、ブリスター１０の上差し込み片１２におけるスリット１２ａ位置の横幅より僅かに長く形成され、その中央部分には縦長の長円形状をした小孔３２ａが形成されている。さらに、上スリット３１と下スリット３２で挟まれる領域を撓みやすくするため、上スリット３１と下スリット３２の両端をそれぞれ結ぶ線上に補助スリット３３が形成され、上スリット３１の円弧部分３１ａの下端と下スリット３２の小孔３２ａの上端を結ぶ補助罫線３４が形成されている。
【００３２】
台紙３０の開口３５は、矩形の上下の辺が外側に膨らんだ形状をしており、ブリスター１０における下折り返し片１３の耳部１３ａ，１３ｂを左右の辺に差し込んで係止できるサイズになっている。そして、開口３５の一方の上部コーナーから台紙３０の下辺に向かって円弧状に延びる破断線３６が形成され、その破断線３６に繋がるようにして台紙３０の下辺には摘み部分となる突起３７が設けられており、開口３５の他方の下部コーナーから台紙３０の下辺に向かって斜めに延びるミシン目３８が形成されている。また、台紙３０の下辺には、ブリスター１０の下折り返し片１３の根元部分より僅かに広くなった切欠３９が設けられており、その切欠３９の一端は摘み部分となる突起３７の一辺を構成している。
【００３３】
図５、図６に示す包装用容器Ｂを組み立てる手順は次のようである。
【００３４】
まず、台紙３０における上スリット３１の口を開かせ、ブリスター１０の上差し込み片１２を上スリット３１に挿入する。このとき、上スリット３１には中ほどに円弧部分３１ａがあるので開きやすい。また、台紙３０の下端より指を入れると上スリット３１はさらに開きやすくなる。
【００３５】
次に、下スリット３２からブリスター１０の上差し込み片１２を表側に出し、上差し込み片１２を根元まで差し込んでからスリット１２ａのところで折り返す。このとき、上差し込み片１２には先端付近に突起１２ｂがあり、これが小孔３２ａを通ることで先端が浮き上がるようになっており、上スリット３１と下スリット３２の両端をそれぞれ結ぶ補助スリット３３があり、上スリット３１の円弧部分３１ａと下スリット３２の小孔３２ａを結ぶ補助罫線３４があるので、上スリット３１と下スリット３２で挟まれる領域は撓みやすく、上差し込み片１２の先端部分は下スリット３２の中ほどにある小孔３２ａを通して表側に出やすくなっているので、上差し込み片１２は下スリット３２から容易に出すことができる。
【００３６】
このようにブリスター１０の上差し込み片１２を台紙３０に取り付けてから、被支持物Ｍをブリスター１０の膨出部１１にセットし、ブリスター１０を台紙３０に密着させる。次いで、台紙３０を裏返してブリスター１０の下折り返し片１３を裏側に向けて折り、耳部１３ａ，１３ｂを台紙３０の開口３５に差し込む。このとき、台紙３０の下辺には下折り返し片１３の根元部分より僅かに広い切欠３９があるので、下折り返し片１３は台紙３０の下辺で位置決めされて容易に折り曲げることができる。下折り返し片１３の耳部１３ａ，１３ｂを開口３５に差し込むときは、下折り返し片１３を捻るようにして大きい方の耳部１３ａを先に入れてから、下折り返し片１３の先端中央を盛り上げ斜めに曲げるようにして小さい方の耳部１３ｂを入れるようにするとよい。最後に、図６に示すように、開口３５の一方のコーナー付近でブリスター１０の下折り返し片１３と台紙３０とに跨がるように改ざん防止用のシールＳを貼る。
【００３７】
組み立てられた包装用容器Ｂは、ブリスター１０の上差し込み片１２が、上下の中ほどに位置するスリット１２ａを境にして根元側と先端側とに分かれ、根元側は台紙３０の上スリット３１と下スリット３２の間の裏側に位置し、先端側は台紙３０の上スリット３１と下スリット３２の間の表側に位置位置しているとともに、ブリスター１１の下折り返し片１３は、台紙３０の下辺に沿った切欠３９のところで折り返され、下折り返し片１３の耳部１３ａ，１３ｂが台紙３０の開口３５に差し込まれて固定した状態でブリスター１０が台紙３０に取り付けられているので、ブリスター１０がその上下で台紙３０にしっかりと固定されており、輸送中や店頭での取扱い時にブリスター１０と台紙３０が簡単に外れることがない。また、ブリスター１０の下部は台紙３０の切欠３９に嵌まって突き出ていないので、図３のような膨出部１１の下側が平らなブリスター１０を使用することで必要に応じて包装用容器Ｂを自立させることができる。
【００３８】
被支持物Ｍを取り出すときは、台紙３０の下辺にある突起３７を摘んで引き上げ、破断線３６に沿って開口３５の下部を持ち上げる。破断線３６が開口３５まで破れたら、そのまま引っ張ってミシン目３８に沿ってシールＳとともに開口３５の下側を取り除く。その後、ブリスター１０の下折り返し片１３の係合を外して膨出部１１から被支持物Ｍを取り出せばよい。
【００３９】
以上、本発明の実施形態について２つの例を挙げて詳細に説明してきたが、本発明による包装用容器は、上記の実施形態に何ら限定されるものではなく、本発明の趣旨を逸脱しない範囲において種々の変更が可能であることは当然のことである。
【００４０】
例えば、２重構造の台紙として、表面シートと裏面シートを２つ折りしたものを例に挙げたが、表面シートと裏面シートを別のシートで構成し、これらを貼り合わせて２重構造とすることも可能である。
【００４１】
また、台紙としては通常板紙で構成したものを使用する場合が多いが、必要に応じてプラスチックシートやその他の扁平状基材で構成することも可能である。
【産業上の利用可能性】
【００４２】
本発明の包装用容器において膨出部に入れる被支持物は、プラスチックケースやボトル、チューブなどの容器に内容物を充填した化粧品や日用品などを主な対象としている。また、被支持物としての容器の種類、形状、内容物などは特に限定されるものではない。
【符号の説明】
【００４３】
Ａ  包装用容器
１０  ブリスター
１１  膨出部
１２  上差し込み片
１２ａ  スリット
１２ｂ  突起
１３  下折り返し片
１３ａ，１３ｂ  耳部
２０  台紙
２０ａ  表面シート
２０ｂ  裏面シート
２１  上スリット
２１ａ  円弧部分
２２  下スリット
２２ａ  小孔
２３  補助スリット
２４  補助罫線
２５  開口
２６  破断線
２７  突起
２８  ミシン目
２９  切欠
２９ａ，２９ｂ  切欠
Ｂ  包装用容器
３０  台紙
３１  上スリット
３１ａ  円弧部分
３２  下スリット
３２ａ  小孔
３３  補助スリット
３４  補助罫線
３５  開口
３６  破断線
３７  突起
３８  ミシン目
３９  切欠
α  折り曲げ線
ｈ  吊下げ孔
Ｍ  被支持物
Ｓ  シール
【図１】
2018052544.tif 000003
【図２】
2018052544.tif 000004
【図３】
2018052544.tif 000005
【図４】
2018052544.tif 000006
【図５】
2018052544.tif 000007
【図６】
2018052544.tif 000008
【図７】
2018052544.tif 000009